(57)【特許請求の範囲】
【請求項１】
物体側より像側へ順に配置された、正の屈折力の第１レンズ群、負の屈折力の第２レンズ群、正の屈折力の第３レンズ群、負の屈折力の第４レンズ群、一つ以上のレンズ群を含む後群からなり、
広角端から望遠端へのズーミングに際して、前記第１レンズ群は不動であり、前記第３レンズ群は物体側へ移動し、前記第４レンズ群は物体側へ移動し、隣り合うレンズ群の間隔が変化し、
前記第３レンズ群の焦点距離をｆ３、前記第４レンズ群の焦点距離をｆ４、広角端から望遠端へのズーミングにおける前記第３レンズ群の移動量をｍ３、広角端から望遠端へのズーミングにおける前記第４レンズ群の移動量をｍ４、前記第１レンズ群の最も物体側のレンズ面の曲率半径をＲ１ａ、前記第１レンズ群の最も像側のレンズ面の曲率半径をＲ２ａとするとき、
０．１＜ｆ３／｜ｍ３｜＜０．９
−１．４＜ｆ４／｜ｍ４｜＜−０．１
２．０＜（Ｒ２ａ＋Ｒ１ａ）／（Ｒ２ａ−Ｒ１ａ）＜３０．０
なる条件式を満足することを特徴とするズームレンズ。
【請求項２】
物体側より像側へ順に配置された、正の屈折力の第１レンズ群、負の屈折力の第２レンズ群、正の屈折力の第３レンズ群、負の屈折力の第４レンズ群、一つ以上のレンズ群を含む後群からなり、
広角端から望遠端へのズーミングに際して、前記第１レンズ群は不動であり、前記第３レンズ群は物体側へ移動し、前記第４レンズ群は物体側へ移動し、隣り合うレンズ群の間隔が変化し、
前記第３レンズ群の焦点距離をｆ３、前記第４レンズ群の焦点距離をｆ４、広角端から望遠端へのズーミングにおける前記第３レンズ群の移動量をｍ３、広角端から望遠端へのズーミングにおける前記第４レンズ群の移動量をｍ４、前記第１レンズ群の最も物体側のレンズ面の曲率半径をＲ１ａ、前記第１レンズ群の最も像側のレンズ面の曲率半径をＲ２ａ、前記第１レンズ群の焦点距離をｆ１、前記第１レンズ群の光軸上の厚みをＤ１とするとき、
０．１＜ｆ３／｜ｍ３｜＜０．９
−１．４＜ｆ４／｜ｍ４｜＜−０．１
１．５＜（Ｒ２ａ＋Ｒ１ａ）／（Ｒ２ａ−Ｒ１ａ）＜３０．０
２０．０＜ｆ１／Ｄ１＜２００．０
なる条件式を満足することを特徴とするズームレンズ。
【請求項３】
物体側より像側へ順に配置された、正の屈折力の第１レンズ群、負の屈折力の第２レンズ群、正の屈折力の第３レンズ群、負の屈折力の第４レンズ群、一つ以上のレンズ群を含む後群からなり、
広角端から望遠端へのズーミングに際して、前記第１レンズ群は不動であり、前記第３レンズ群は物体側へ移動し、前記第４レンズ群は物体側へ移動し、隣り合うレンズ群の間隔が変化し、
前記第１レンズ群は、１枚の正レンズからなり、
前記第３レンズ群の焦点距離をｆ３、前記第４レンズ群の焦点距離をｆ４、広角端から望遠端へのズーミングにおける前記第３レンズ群の移動量をｍ３、広角端から望遠端へのズーミングにおける前記第４レンズ群の移動量をｍ４、前記第１レンズ群の最も物体側のレンズ面の曲率半径をＲ１ａ、前記第１レンズ群の最も像側のレンズ面の曲率半径をＲ２ａ、前記正レンズの材料の屈折率及びアッベ数を各々ｎｄ１１ａ及びνｄ１１ａとするとき、
０．１＜ｆ３／｜ｍ３｜＜０．９
−１．４＜ｆ４／｜ｍ４｜＜−０．１
１．５＜（Ｒ２ａ＋Ｒ１ａ）／（Ｒ２ａ−Ｒ１ａ）＜３０．０
１．５０＜ｎｄ１１ａ＜１．８０
４５．０＜νｄ１１ａ＜７５．０
なる条件式を満足することを特徴とするズームレンズ。
【請求項４】
物体側より像側へ順に配置された、正の屈折力の第１レンズ群、負の屈折力の第２レンズ群、正の屈折力の第３レンズ群、負の屈折力の第４レンズ群、一つ以上のレンズ群を含む後群からなり、
広角端から望遠端へのズーミングに際して、前記第１レンズ群は不動であり、前記第３レンズ群は物体側へ移動し、前記第４レンズ群は物体側へ移動し、隣り合うレンズ群の間隔が変化し、
前記第３レンズ群の焦点距離をｆ３、前記第４レンズ群の焦点距離をｆ４、広角端から望遠端へのズーミングにおける前記第３レンズ群の移動量をｍ３、広角端から望遠端へのズーミングにおける前記第４レンズ群の移動量をｍ４、前記第１レンズ群の最も物体側のレンズ面の曲率半径をＲ１ａ、前記第１レンズ群の最も像側のレンズ面の曲率半径をＲ２ａ、前記第２レンズ群の焦点距離をｆ２、広角端における全系の焦点距離をｆｗとするとき、
０．１＜ｆ３／｜ｍ３｜＜０．９
−１．４＜ｆ４／｜ｍ４｜＜−０．１
１．５＜（Ｒ２ａ＋Ｒ１ａ）／（Ｒ２ａ−Ｒ１ａ）＜３０．０
−３．６＜ｆ２／ｆｗ＜−２．０
なる条件式を満足することを特徴とするズームレンズ。
【請求項５】
物体側より像側へ順に配置された、正の屈折力の第１レンズ群、負の屈折力の第２レンズ群、正の屈折力の第３レンズ群、負の屈折力の第４レンズ群、一つ以上のレンズ群を含む後群からなり、
広角端から望遠端へのズーミングに際して、前記第１レンズ群は不動であり、前記第３レンズ群は物体側へ移動し、前記第４レンズ群は物体側へ移動し、隣り合うレンズ群の間隔が変化し、
前記第２レンズ群は物体側から像側へ順に配置された負レンズ、負レンズ、負レンズ、正レンズからなり、
前記第３レンズ群の焦点距離をｆ３、前記第４レンズ群の焦点距離をｆ４、広角端から望遠端へのズーミングにおける前記第３レンズ群の移動量をｍ３、広角端から望遠端へのズーミングにおける前記第４レンズ群の移動量をｍ４、前記第１レンズ群の最も物体側のレンズ面の曲率半径をＲ１ａ、前記第１レンズ群の最も像側のレンズ面の曲率半径をＲ２ａ、前記正レンズの材料の屈折率及びアッベ数を各々ｎｄ２４ａ及びνｄ２４ａとするとき、
０．１＜ｆ３／｜ｍ３｜＜０．９
−１．４＜ｆ４／｜ｍ４｜＜−０．１
１．５＜（Ｒ２ａ＋Ｒ１ａ）／（Ｒ２ａ−Ｒ１ａ）＜３０．０
１．８５＜ｎｄ２４ａ＜２．００
１４．０＜νｄ２４ａ＜２２．０
なる条件式を満足することを特徴とするズームレンズ。
【請求項６】
物体側より像側へ順に配置された、正の屈折力の第１レンズ群、負の屈折力の第２レンズ群、正の屈折力の第３レンズ群、負の屈折力の第４レンズ群、一つ以上のレンズ群を含む後群からなり、
広角端から望遠端へのズーミングに際して、前記第１レンズ群は不動であり、前記第３レンズ群は物体側へ移動し、前記第４レンズ群は物体側へ移動し、隣り合うレンズ群の間隔が変化し、
広角端から望遠端へのズーミングに際して、前記第２レンズ群は像側へ移動した後に物体側へ移動し、
前記第３レンズ群の焦点距離をｆ３、前記第４レンズ群の焦点距離をｆ４、広角端から望遠端へのズーミングにおける前記第３レンズ群の移動量をｍ３、広角端から望遠端へのズーミングにおける前記第４レンズ群の移動量をｍ４、前記第１レンズ群の最も物体側のレンズ面の曲率半径をＲ１ａ、前記第１レンズ群の最も像側のレンズ面の曲率半径をＲ２ａ、光軸上において前記第２レンズ群が位置する最も物体側の位置から最も像側の位置までの距離をｍ２、望遠端における全系の焦点距離をｆｔとするとき、
０．１＜ｆ３／｜ｍ３｜＜０．９
−１．４＜ｆ４／｜ｍ４｜＜−０．１
１．５＜（Ｒ２ａ＋Ｒ１ａ）／（Ｒ２ａ−Ｒ１ａ）＜３０．０
０．５＜ｍ２／ｆｔ＜１．３
なる条件式を満足することを特徴とするズームレンズ。
【請求項７】
物体側より像側へ順に配置された、正の屈折力の第１レンズ群、負の屈折力の第２レンズ群、正の屈折力の第３レンズ群、負の屈折力の第４レンズ群、一つ以上のレンズ群を含む後群からなり、
広角端から望遠端へのズーミングに際して、前記第１レンズ群は不動であり、前記第３レンズ群は物体側へ移動し、前記第４レンズ群は物体側へ移動し、隣り合うレンズ群の間隔が変化し、
前記後群は、物体側から像側へ順に配置された、負の屈折力の第５レンズ群、正の屈折力の第６レンズ群からなり、
前記第３レンズ群の焦点距離をｆ３、前記第４レンズ群の焦点距離をｆ４、広角端から望遠端へのズーミングにおける前記第３レンズ群の移動量をｍ３、広角端から望遠端へのズーミングにおける前記第４レンズ群の移動量をｍ４、前記第１レンズ群の最も物体側のレンズ面の曲率半径をＲ１ａ、前記第１レンズ群の最も像側のレンズ面の曲率半径をＲ２ａとするとき、
０．１＜ｆ３／｜ｍ３｜＜０．９
−１．４＜ｆ４／｜ｍ４｜＜−０．１
１．５＜（Ｒ２ａ＋Ｒ１ａ）／（Ｒ２ａ−Ｒ１ａ）＜３０．０
なる条件式を満足することを特徴とするズームレンズ。
【請求項８】
前記第３レンズ群は複数の正レンズを有し、該正レンズの材料のアッベ数の平均値をνｄ３ａとするとき、
６５．０＜νｄ３ａ
なる条件式を満足することを特徴とする請求項１乃至７のいずれか１項に記載のズームレンズ。
【請求項９】
前記第３レンズ群は、材料のアッベ数及び部分分散比を各々νｄ及びθｇＦとするとき、
０．０１０＜θｇＦ−（０．６４４−０．００１６８×νｄ）＜０．０７０
なる条件式を満足する複数の正レンズを有することを特徴とする請求項１乃至８のいずれか１項に記載のズームレンズ。
【請求項１０】
無限遠から近距離へのフォーカシングに際して前記第４レンズ群は像側へ移動することを特徴とする請求項１乃至９のいずれか１項に記載のズームレンズ。
【請求項１１】
前記後群は、正の屈折力の第５レンズ群からなることを特徴とする請求項１乃至６のいずれか１項に記載のズームレンズ。
【請求項１２】
請求項１乃至１１のいずれか１項に記載のズームレンズと、該ズームレンズによって形成された像を受光する撮像素子とを有することを特徴とする撮像装置。
【請求項１３】
前記ズームレンズにおいて生じる収差を電気的に補正する補正手段を有することを特徴とする請求項１２に記載の撮像装置。
【発明の詳細な説明】
【技術分野】
【０００１】
本発明はズームレンズ及びそれを有する撮像装置に関し、特にデジタルスチルカメラ、ビデオカメラ、監視用カメラ、放送用カメラ等の撮像装置に用いる撮像光学系として好適なものである。
【背景技術】
【０００２】
近年、撮像装置に用いられる撮像光学系には、広画角、高ズーム比でしかも全系が小型のズームレンズであることが要求されている。さらに、フルＨＤの４倍の解像度を持つ４Ｋ解像度を有する高解像力のズームレンズであること等が要求されている。これらの要求に応えるズームレンズとして、物体側より像側へ順に、正、負、正、負の屈折力を有する第１レンズ群ないし第４レンズ群とそれに続く１つ以上のレンズ群を含む後群を有するポジティブリード型のズームレンズが知られている（特許文献１乃至３）。
【０００３】
このうち特許文献１では、正、負、正、負、正の屈折力の第１レンズ群ないし第５レンズ群よりなり、第１レンズ群を負レンズと正レンズの接合レンズから構成し、ズーミングに際して第２レンズ群から第４レンズ群を移動させている。特許文献１では広角端の撮像画角が約８９度、ズーム比５倍程度の小型のズームレンズを開示している。
【０００４】
特許文献２では、正、負、正、負、正の屈折力の第１レンズ群ないし第５レンズ群よりなり、第１レンズ群を１枚の正レンズより構成し、ズーミングに際して第２レンズ群ないし第５レンズ群を移動させている。特許文献２では広角端の撮像画角が約７７度、ズーム比５倍程度のズームレンズを開示している。
【０００５】
特許文献３では、物体側から像側へ順に、正、負、正、負、負、正の屈折力の第１レンズ群ないし第６レンズ群から成り、ズーミングに際して第２レンズ群、第４レンズ群、第５レンズ群が移動する。そしてズーミングに際して隣り合うレンズ群の間隔が変化するズームレンズを開示している。特許文献３では第４レンズ群を移動させることにより、フォーカシングを行うズーム比４程度のズームレンズを開示している。
【先行技術文献】
【特許文献】
【０００６】
【特許文献１】特開２０１２−０８３６０１号公報
【特許文献２】特開２００６−１７８２４４号公報
【特許文献３】特開２０１２−４７８１４号公報
【発明の概要】
【発明が解決しようとする課題】
【０００７】
ポジティブリード型のズームレンズは全系の小型化を図りつつ、広画角化及び高ズーム比化を図ることが比較的容易である。多くのポジティブリード型のズームレンズにおいては、広画角化を図ると前玉有効径（第１レンズ群の有効径）が増大し、全系が大型化してくる。このためポジティブリード型のズームレンズにおいて、全系の小型化を図りつつ、広画角化を図るには各レンズ群のレンズ構成、特に第１レンズ群のレンズ構成を適切に設定することが重要になってくる。
【０００８】
またズーミングに際して第３レンズ群や第４レンズ群が移動するときはそれらのレンズ群の屈折力やズーミングに際しての移動量を適切に設定することが高ズーム比化を図る際に重要になってくる。これらの構成を適切に設定しないと、全系の小型化を図りつつ、高ズーム比でしかも広画角で諸収差を良好に補正した高い光学性能のズームレンズを得るのが難しくなってくる。
【０００９】
前述したポジティブリード型のズームレンズでは、ズーミングに際して第１レンズ群を移動させるズーム方式を用いる高ズーム比が容易になる。しかしながら、例えば監視用途のカメラにおいては、ズーミングに際して第１レンズ群を可動とすると、耐衝撃性、防水性、防塵性が弱くなってくる。このため監視用のカメラではズーミングに際して第１レンズ群が不動であること、しかも高ズーム比、広画角のズームレンズであること等が望まれている。
【００１０】
本発明は、広画角、高ズーム比、良好な光学特性、小型の点で有利なズームレンズ及びそれを有する撮像装置の提供を目的とする。
【課題を解決するための手段】
【００１１】
本発明のズームレンズは、
物体側より像側へ順に配置された、正の屈折力の第１レンズ群、負の屈折力の第２レンズ群、正の屈折力の第３レンズ群、負の屈折力の第４レンズ群、一つ以上のレンズ群を含む後群からなり（表現の統一（旧請求項３・５・１０・１１は「からなる（り）」））、
広角端から望遠端へのズーミングに際して、前記第１レンズ群は不動であり、前記第３レンズ群は物体側へ移動し、前記第４レンズ群は物体側へ移動し、隣り合うレンズ群の間隔が変化し、
前記第３レンズ群の焦点距離をｆ３、前記第４レンズ群の焦点距離をｆ４、広角端から望遠端へのズーミングにおける前記第３レンズ群の移動量をｍ３、広角端から望遠端へのズーミングにおける前記第４レンズ群の移動量をｍ４、前記第１レンズ群の最も物体側のレンズ面の曲率半径をＲ１ａ、前記第１レンズ群の最も像側のレンズ面の曲率半径をＲ２ａとするとき、
０．１＜ｆ３／｜ｍ３｜＜０．９
−１．４＜ｆ４／｜ｍ４｜＜−０．１
２．０＜（Ｒ２ａ＋Ｒ１ａ）／（Ｒ２ａ−Ｒ１ａ）＜３０．０
なる条件式を満足することを特徴とする。
また、本発明のズームレンズは、
物体側より像側へ順に配置された、正の屈折力の第１レンズ群、負の屈折力の第２レンズ群、正の屈折力の第３レンズ群、負の屈折力の第４レンズ群、一つ以上のレンズ群を含む後群からなり、
広角端から望遠端へのズーミングに際して、前記第１レンズ群は不動であり、前記第３レンズ群は物体側へ移動し、前記第４レンズ群は物体側へ移動し、隣り合うレンズ群の間隔が変化し、
前記第３レンズ群の焦点距離をｆ３、前記第４レンズ群の焦点距離をｆ４、広角端から望遠端へのズーミングにおける前記第３レンズ群の移動量をｍ３、広角端から望遠端へのズーミングにおける前記第４レンズ群の移動量をｍ４、前記第１レンズ群の最も物体側のレンズ面の曲率半径をＲ１ａ、前記第１レンズ群の最も像側のレンズ面の曲率半径をＲ２ａ、前記第１レンズ群の焦点距離をｆ１、前記第１レンズ群の光軸上の厚みをＤ１とするとき、
０．１＜ｆ３／｜ｍ３｜＜０．９
−１．４＜ｆ４／｜ｍ４｜＜−０．１
１．５＜（Ｒ２ａ＋Ｒ１ａ）／（Ｒ２ａ−Ｒ１ａ）＜３０．０
２０．０＜ｆ１／Ｄ１＜２００．０
なる条件式を満足することを特徴とする。
また、本発明のズームレンズは、
物体側より像側へ順に配置された、正の屈折力の第１レンズ群、負の屈折力の第２レンズ群、正の屈折力の第３レンズ群、負の屈折力の第４レンズ群、一つ以上のレンズ群を含む後群からなり、
広角端から望遠端へのズーミングに際して、前記第１レンズ群は不動であり、前記第３レンズ群は物体側へ移動し、前記第４レンズ群は物体側へ移動し、隣り合うレンズ群の間隔が変化し、
前記第１レンズ群は、１枚の正レンズからなり、
前記第３レンズ群の焦点距離をｆ３、前記第４レンズ群の焦点距離をｆ４、広角端から望遠端へのズーミングにおける前記第３レンズ群の移動量をｍ３、広角端から望遠端へのズーミングにおける前記第４レンズ群の移動量をｍ４、前記第１レンズ群の最も物体側のレンズ面の曲率半径をＲ１ａ、前記第１レンズ群の最も像側のレンズ面の曲率半径をＲ２ａ、前記正レンズの材料の屈折率及びアッベ数を各々ｎｄ１１ａ及びνｄ１１ａとするとき、
０．１＜ｆ３／｜ｍ３｜＜０．９
−１．４＜ｆ４／｜ｍ４｜＜−０．１
１．５＜（Ｒ２ａ＋Ｒ１ａ）／（Ｒ２ａ−Ｒ１ａ）＜３０．０
１．５０＜ｎｄ１１ａ＜１．８０
４５．０＜νｄ１１ａ＜７５．０
なる条件式を満足することを特徴とする。
また、本発明のズームレンズは、
物体側より像側へ順に配置された、正の屈折力の第１レンズ群、負の屈折力の第２レンズ群、正の屈折力の第３レンズ群、負の屈折力の第４レンズ群、一つ以上のレンズ群を含む後群からなり、
広角端から望遠端へのズーミングに際して、前記第１レンズ群は不動であり、前記第３レンズ群は物体側へ移動し、前記第４レンズ群は物体側へ移動し、隣り合うレンズ群の間隔が変化し、
前記第３レンズ群の焦点距離をｆ３、前記第４レンズ群の焦点距離をｆ４、広角端から望遠端へのズーミングにおける前記第３レンズ群の移動量をｍ３、広角端から望遠端へのズーミングにおける前記第４レンズ群の移動量をｍ４、前記第１レンズ群の最も物体側のレンズ面の曲率半径をＲ１ａ、前記第１レンズ群の最も像側のレンズ面の曲率半径をＲ２ａ、前記第２レンズ群の焦点距離をｆ２、広角端における全系の焦点距離をｆｗとするとき、
０．１＜ｆ３／｜ｍ３｜＜０．９
−１．４＜ｆ４／｜ｍ４｜＜−０．１
１．５＜（Ｒ２ａ＋Ｒ１ａ）／（Ｒ２ａ−Ｒ１ａ）＜３０．０
−３．６＜ｆ２／ｆｗ＜−２．０
なる条件式を満足することを特徴とする。
また、本発明のズームレンズは、
物体側より像側へ順に配置された、正の屈折力の第１レンズ群、負の屈折力の第２レンズ群、正の屈折力の第３レンズ群、負の屈折力の第４レンズ群、一つ以上のレンズ群を含む後群からなり、
広角端から望遠端へのズーミングに際して、前記第１レンズ群は不動であり、前記第３レンズ群は物体側へ移動し、前記第４レンズ群は物体側へ移動し、隣り合うレンズ群の間隔が変化し、
前記第２レンズ群は物体側から像側へ順に配置された負レンズ、負レンズ、負レンズ、正レンズからなり、
前記第３レンズ群の焦点距離をｆ３、前記第４レンズ群の焦点距離をｆ４、広角端から望遠端へのズーミングにおける前記第３レンズ群の移動量をｍ３、広角端から望遠端へのズーミングにおける前記第４レンズ群の移動量をｍ４、前記第１レンズ群の最も物体側のレンズ面の曲率半径をＲ１ａ、前記第１レンズ群の最も像側のレンズ面の曲率半径をＲ２ａ、前記正レンズの材料の屈折率及びアッベ数を各々ｎｄ２４ａ及びνｄ２４ａとするとき、
０．１＜ｆ３／｜ｍ３｜＜０．９
−１．４＜ｆ４／｜ｍ４｜＜−０．１
１．５＜（Ｒ２ａ＋Ｒ１ａ）／（Ｒ２ａ−Ｒ１ａ）＜３０．０
１．８５＜ｎｄ２４ａ＜２．００
１４．０＜νｄ２４ａ＜２２．０
なる条件式を満足することを特徴とする。
また、本発明のズームレンズは、
物体側より像側へ順に配置された、正の屈折力の第１レンズ群、負の屈折力の第２レンズ群、正の屈折力の第３レンズ群、負の屈折力の第４レンズ群、一つ以上のレンズ群を含む後群からなり、
広角端から望遠端へのズーミングに際して、前記第１レンズ群は不動であり、前記第３レンズ群は物体側へ移動し、前記第４レンズ群は物体側へ移動し、隣り合うレンズ群の間隔が変化し、
広角端から望遠端へのズーミングに際して、前記第２レンズ群は像側へ移動した後に物体側へ移動し、
前記第３レンズ群の焦点距離をｆ３、前記第４レンズ群の焦点距離をｆ４、広角端から望遠端へのズーミングにおける前記第３レンズ群の移動量をｍ３、広角端から望遠端へのズーミングにおける前記第４レンズ群の移動量をｍ４、前記第１レンズ群の最も物体側のレンズ面の曲率半径をＲ１ａ、前記第１レンズ群の最も像側のレンズ面の曲率半径をＲ２ａ、光軸上において前記第２レンズ群が位置する最も物体側の位置から最も像側の位置までの距離をｍ２、望遠端における全系の焦点距離をｆｔとするとき、
０．１＜ｆ３／｜ｍ３｜＜０．９
−１．４＜ｆ４／｜ｍ４｜＜−０．１
１．５＜（Ｒ２ａ＋Ｒ１ａ）／（Ｒ２ａ−Ｒ１ａ）＜３０．０
０．５＜ｍ２／ｆｔ＜１．３
なる条件式を満足することを特徴とする。
また、本発明のズームレンズは、
物体側より像側へ順に配置された、正の屈折力の第１レンズ群、負の屈折力の第２レンズ群、正の屈折力の第３レンズ群、負の屈折力の第４レンズ群、一つ以上のレンズ群を含む後群からなり、
広角端から望遠端へのズーミングに際して、前記第１レンズ群は不動であり、前記第３レンズ群は物体側へ移動し、前記第４レンズ群は物体側へ移動し、隣り合うレンズ群の間隔が変化し、
前記後群は、物体側から像側へ順に配置された、負の屈折力の第５レンズ群、正の屈折力の第６レンズ群からなり、
前記第３レンズ群の焦点距離をｆ３、前記第４レンズ群の焦点距離をｆ４、広角端から望遠端へのズーミングにおける前記第３レンズ群の移動量をｍ３、広角端から望遠端へのズーミングにおける前記第４レンズ群の移動量をｍ４、前記第１レンズ群の最も物体側のレンズ面の曲率半径をＲ１ａ、前記第１レンズ群の最も像側のレンズ面の曲率半径をＲ２ａとするとき、
０．１＜ｆ３／｜ｍ３｜＜０．９
−１．４＜ｆ４／｜ｍ４｜＜−０．１
１．５＜（Ｒ２ａ＋Ｒ１ａ）／（Ｒ２ａ−Ｒ１ａ）＜３０．０
なる条件式を満足することを特徴とする。
【発明の効果】
【００１２】
本発明によれば、広画角、高ズーム比、良好な光学特性、小型の点で有利なズームレンズ及びそれを有する撮像装置の提供ができる。
【図面の簡単な説明】
【００１３】
【図１】実施例１のズームレンズの広角端におけるレンズ断面図
【図２】（Ａ）、（Ｂ）、（Ｃ）  実施例１のズームレンズの広角端、中間のズーム位置、望遠端における収差図
【図３】実施例２のズームレンズの広角端におけるレンズ断面図
【図４】（Ａ）、（Ｂ）、（Ｃ）  実施例２のズームレンズの広角端、中間のズーム位置、望遠端における収差図
【図５】実施例３のズームレンズの広角端におけるレンズ断面図
【図６】（Ａ）、（Ｂ）、（Ｃ）  実施例３のズームレンズの広角端、中間のズーム位置、望遠端における収差図
【図７】実施例４のズームレンズの広角端におけるレンズ断面図
【図８】（Ａ）、（Ｂ）、（Ｃ）  実施例４のズームレンズの広角端、中間のズーム位置、望遠端における収差図
【図９】実施例５のズームレンズの広角端におけるレンズ断面図
【図１０】（Ａ）、（Ｂ）、（Ｃ）  実施例５のズームレンズの広角端、中間のズーム位置、望遠端における収差図
【図１１】実施例６のズームレンズの広角端におけるレンズ断面図
【図１２】（Ａ）、（Ｂ）、（Ｃ）  実施例６のズームレンズの広角端、中間のズーム位置、望遠端における収差図
【図１３】本発明の撮像装置の要部概略図
【発明を実施するための形態】
【００１４】
本発明のズームレンズは、物体側より像側へ順に配置された正の屈折力の第１レンズ群、負の屈折力の第２レンズ群、正の屈折力の第３レンズ群、負の屈折力の第４レンズ群、１つ以上のレンズ群を含む後群より構成される。そしてズーミングに際して第１レンズ群は不動であり、広角端から望遠端へのズーミングに際して、第３レンズ群は物体側に移動し、第４レンズ群は物体側に移動し、ズーミングに際して隣り合うレンズ群の間隔が変化する。
【００１５】
図１は本発明の実施例１のズームレンズの広角端（短焦点距離端）におけるレンズ断面図である。図２（Ａ）、（Ｂ）、（Ｃ）はそれぞれ実施例１のズームレンズの広角端、中間のズーム位置、望遠端（長焦点距離端）における収差図である。実施例１はズーム比７．９７、Ｆナンバー１．６３〜４．００のズームレンズである。
【００１６】
図３は本発明の実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比９．９８、Ｆナンバー１．５０〜４．００のズームレンズである。図５は本発明の実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比７．９７、Ｆナンバー１．６５〜４．００のズームレンズである。
【００１７】
図７は本発明の実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比８．０４、Ｆナンバー１．６５〜４．００のズームレンズである。図９は本発明の実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。実施例５はズーム比４．９９、Ｆナンバー１．６５〜３．６８のズームレンズである。
【００１８】
図１１は本発明の実施例６のズームレンズの広角端におけるレンズ断面図である。図１２（Ａ）、（Ｂ）、（Ｃ）はそれぞれ実施例６のズームレンズの広角端、中間のズーム位置、望遠端における収差図である。実施例６はズーム比６．９３、Ｆナンバー１．６５〜４．００のズームレンズである。図１３は本発明の撮像装置の要部概略図である。
【００１９】
各実施例のズームレンズはビデオカメラ、デジタルカメラ、ＴＶカメラ、監視用カメラ、そして銀塩フィルムカメラ等の撮像装置に用いられる撮像レンズ系である。レンズ断面図において、左方が被写体側（物体側）（前方）で、右方が像側（後方）である。レンズ断面図において、ｉは物体側からのレンズ群の順番を示し、Ｌｉは第ｉレンズ群である。
ＬＲは１つ以上のレンズ群を含む後群である。
【００２０】
レンズ断面図において、ＳＰは開口絞りであり、第３レンズ群Ｌ３の物体側または第３レンズ群のレンズ系の間に配置している。レンズ断面図において、ＧＢは光学フィルター、フェースプレート、水晶ローパスフィルター、赤外カットフィルター等に相当する光学素子である。ＩＰは像面であり、ビデオカメラやデジタルスチルカメラの撮影光学系として使用する際にはＣＣＤセンサやＣＭＯＳセンサ等の固体撮像素子（光電変換素子）が像面に、銀塩フィルム用カメラのときはフィルム面に相当する感光面が置かれる。
【００２１】
矢印は広角端から望遠端へのズーミング（変倍）に際して、各レンズ群の移動軌跡と、フォーカシングの際のレンズ群の移動方向を示している。収差図のうち球面収差において、実線のｄはｄ線（波長５８７．６ｎｍ）、２点鎖線のｇはｇ線（波長４３５．８ｎｍ）、一点鎖線のＣはＣ線（波長６５６．３ｎｍ）、点線のＦはＦ線（波長４８６．１ｎｍ）である。非点収差図において点線のＭはｄ線のメリディオナル像面、実線のＳはｄ線のサジタル像面である。倍率色収差はｄ線に対するｇ線、Ｃ線、Ｆ線によって表している。ωは半画角（撮影画角の半分の値）（度）、ＦｎｏはＦナンバーである。
【００２２】
実施例１乃至５のレンズ断面図において、Ｌ１は正の屈折力の第１レンズ群、Ｌ２は負の屈折力の第２レンズ群、Ｌ３は正の屈折力の第３レンズ群、Ｌ４は負の屈折力の第４レンズ群である。後群ＬＲは正の屈折力の第５レンズ群Ｌ５より構成される。実施例１乃至５は５群ズームレンズである。
【００２３】
実施例１乃至５ではズーミングに際して第１レンズ群Ｌ１と第５レンズ群Ｌ５は不動である。広角端から望遠端へのズーミングに際して矢印のように第２レンズ群Ｌ２は像側へ凸状の軌跡を描いて移動する。第３レンズ群Ｌ３は物体側へ移動する。第４レンズ群Ｌ４は物体側へ移動する。開口絞りＳＰは第３レンズ群Ｌ３と独立にまたは一体的に（同じ軌跡で）物体側へ移動する。
【００２４】
第４レンズ群Ｌ４を移動させて変倍に伴う像面変動を補正すると共に、フォーカシングを行っている。第４レンズ群Ｌ４に関する実線の曲線４ａと点線の曲線４ｂは、各々無限遠物体と近距離物体にフォーカスしているときの変倍に伴う像面変動を補正するための移動軌跡である。また、無限遠物体から近距離物体へフォーカスは、矢印４Ｃに示す如く第４レンズ群Ｌ４を後方に繰り込むことで行っている。尚、フォーカシングは第４レンズ群Ｌ４に限らず、その他のレンズ群を単独、もしくは複数のレンズ群を用いて行っても良い。例えば第２レンズ群Ｌ２の一部又は全部、又は第５レンズ群Ｌ５で行っても良い。
【００２５】
実施例６のレンズ断面図においてＬ１は正の屈折力の第１レンズ群、Ｌ２は負の屈折力の第２レンズ群、Ｌ３は正の屈折力の第３レンズ群、Ｌ４は負の屈折力の第４レンズ群である。後群ＬＲは負の屈折力の第５レンズ群Ｌ５、正の屈折力の第６レンズ群Ｌ６より構成される。実施例６は６群ズームレンズである。実施例６ではズーミングに際して第１レンズ群Ｌ１と第６レンズ群Ｌ６は不動である。
【００２６】
実施例６では広角端から望遠端へのズーミングに際して矢印のように第２レンズ群Ｌ２は像側へ凸状の軌跡を描いて移動する。第３レンズ群Ｌ３は物体側へ移動する。第４レンズ群Ｌ４は物体側へ移動する。また第５レンズ群Ｌ５は物体側へ移動する。実施例６では実施例１乃至５と同様に第４レンズ群Ｌ４を移動させて変倍に伴う像面変動を補正すると共に、フォーカシングを行っている。
【００２７】
第４レンズ群Ｌ４に関する実線の曲線４ａと点線の曲線４ｂは、各々無限遠物体と近距離物体にフォーカスしているときの変倍に伴う像面変動を補正するための移動軌跡である。また、無限遠物体から近距離物体へフォーカスは、矢印４Ｃに示す如く第４レンズ群Ｌ４を後方に繰り込むことで行っている。尚、フォーカシングは第４レンズ群Ｌ４に限らず、その他のレンズ群を単独、もしくは複数のレンズ群を用いて行っても良い。例えば第２レンズ群Ｌ２の一部又は全部または第５レンズ群Ｌ５、又は第６レンズ群Ｌ６で行っても良い。
【００２８】
各実施例において、開口絞りＳＰの開口径はズーミングに際して一定とすることも、変化させても良い。開口絞りＳＰの開口径を変化させると、望遠端において発生する軸外光束による下線コマフレアをカットすることができ、より良好な光学性能を得ることができる。
【００２９】
本発明のズームレンズにおいて、第３レンズ群Ｌ３の焦点距離をｆ３、第４レンズ群Ｌ４の焦点距離をｆ４とする。広角端から望遠端へのズーミングにおける第３レンズ群Ｌ３の移動量をｍ３、広角端から望遠端へのズーミングにおける第４レンズ群Ｌ４の移動量をｍ４とする。第１レンズ群Ｌ１の最も物体側のレンズ面の曲率半径をＲ１ａ、第１レンズ群Ｌ１の最も像側のレンズ面の曲率半径をＲ２ａとする。
【００３０】
ここで移動量とは、広角端から望遠端へのズーミングにおけるレンズ群の最も物体側の位置と最も像側の位置の差をいう。移動量の符号は広角端に比べて望遠端においてレンズ群が像側に位置するときを正、物体側に位置するときを負とする。
【００３１】
このとき、
０．１＜ｆ３／｜ｍ３｜＜０．９                    ・・・（１）
−１．４＜ｆ４／｜ｍ４｜＜−０．１                ・・・（２）
１．５＜（Ｒ２＋Ｒ１）／（Ｒ２−Ｒ１）＜３０．０  ・・・（３）
なる条件式を満足する。
また、条件式（３）の替わりに、
２．０＜（Ｒ２＋Ｒ１）／（Ｒ２−Ｒ１）＜３０．０  ・・・（３ｘ）
なる条件式を満足するのがよい。
【００３２】
次に前述の各条件式の技術的意味について説明する。物体側から像側へ順に、正、負、正、負の第１レンズ群ないし第４レンズ群を有し、広角端から望遠端へのズーミングに際し、第２レンズ群を像側に移動させるズームレンズが知られている。このズームレンズにおいて、第２レンズ群Ｌ２の変倍効果を高めつつ、全系の小型化を図るには第１レンズ群Ｌ１と第２レンズ群Ｌ２の屈折力を強くする必要がある。
【００３３】
一方、良好な光学性能を得るためには、各レンズ群のレンズ枚数を増やして各レンズに屈折力を分担させ、諸収差の発生を小さくする必要がある。しかしながら、このようにすると、第１レンズ群Ｌ１と第２レンズ群Ｌ２のレンズ群の厚さが厚くなってしまう。また、広画角化を図ろうと有効径の大きい第１レンズ群はさらに有効径が増大するとともに、レンズ群厚が増大する。このため、レンズ系の小型化を達成することが困難となる。
【００３４】
これに対して、本発明のズームレンズは第３レンズ群Ｌ３と、第４レンズ群Ｌ４を変倍レンズ群とし、第２レンズ群Ｌ２で変倍に伴う像面位置の変動の補正を行う構成としている。このような構成の場合、変倍効果を高めるためには第２レンズ群Ｌ２、第３レンズ群Ｌ３、第４レンズ群Ｌ４の屈折力を強める（屈折力の絶対値を大きくする）必要はあるが、有効径が大きくなる第１レンズ群Ｌ１の屈折力を強くしなくてもよくなる。
【００３５】
そのため、本発明では第１レンズ群Ｌ１を少ないレンズ枚数で構成することができるため、広画角化しても前玉有効径が大きくなりすぎることがなく、全系の小型化が容易となっている。
【００３６】
また、広角端から望遠端へのズーミングに際して第３レンズ群Ｌ３と第４レンズ群Ｌ４を独立に（互いに異なった軌跡で）物体側に移動させる構成とし、第３レンズ群Ｌ３と第４レンズ群Ｌ４に変倍分担を行っている。これにより変倍のためのストローク（移動量）を短くして高ズーム比化を図りつつ、レンズ全長の短縮化を図っている。さらに条件式（１）ないし（３）を満足することにより、広画角、高ズーム比で全系の小型化を図りつつ、ズーム全域にわたって良好な光学性能を得ている。
【００３７】
条件式（１）は第３レンズ群Ｌ３の焦点距離とズーミングにおける第３レンズ群Ｌ３の移動量との比を規定したものである。条件式（１）を満たすことで全系の小型化を図りつつ、高ズーム比を達成している。条件式（１）の下限値を超えて第３レンズ群Ｌ３の焦点距離が短くなりすぎると、ズーム全域において球面収差やコマ収差が増大し、これらの諸収差を軽減することが困難となる。
【００３８】
一方、条件式（１）の上限値を越えて第３レンズ群Ｌ３の焦点距離が長くなりすぎると、第３レンズ群Ｌ３での変倍効果が小さくなる。この結果、高いズーム比を得るために第３レンズ群Ｌ３と第４レンズ群Ｌ４のズーミングに際してのストローク（移動量）を長くしなければならない。そうすると、レンズ全長が長くなってしまうため好ましくない。
【００３９】
条件式（２）は第４レンズ群Ｌ４の焦点距離とズーミングにおける第４レンズ群Ｌ４の移動量の比を規定したものである。条件式（２）を満たすことで全系の小型化を図りつつ、高ズーム比を達成している。条件式（２）の上限値を超えて第４レンズ群Ｌ４の負の焦点距離が短くなりすぎると（負の屈折力の絶対値が大きくなりすぎると）、ズーム全域において球面収差やコマ収差が増大し、これらの諸収差を軽減することが困難となる。
【００４０】
一方、条件式（２）の下限値を越えて第４レンズ群Ｌ４の負の焦点距離が長くなりすぎると（負の屈折力の絶対値が小さくなりすぎると）、第４レンズ群Ｌ４での変倍効果が小さくなる。この結果、高いズーム比を得るために第３レンズ群Ｌ３と第４レンズ群Ｌ４のストロークを長くしなければならない。そうすると、レンズ全長が長くなってしまうため好ましくない。
【００４１】
条件式（３）は第１レンズ群Ｌ１の最も物体側のレンズ面の曲率半径と最も像側のレンズ面の曲率半径を規定したものである。条件式（３）を満たすことで、全系の小型化を図りつつ、広画角で高い光学性能を実現している。条件式（３）の下限値を超えて曲率半径Ｒ１ａと曲率半径Ｒ２ａが大きくなりすぎると、広角端において、第１レンズ群Ｌ１の最も物体側のレンズ面を通る軸外光束の入射高さが高くなってしまい、第１レンズ群Ｌ１が大型化してくる。
【００４２】
一方、条件式（３）の上限値を超えて曲率半径Ｒ１と曲率半径Ｒ２が小さくなりすぎると、広角端において像面湾曲が増加してくる。
【００４３】
各実施例では上記の如く、条件式（１）、（２）、（３）を満足するように各要素を適切に設定している。これにより全系の小型化を図りつつ、高ズーム比で、高い光学性能を持ったズームレンズを得ている。なお、各実施例において、好ましくは条件式（１）、（２）、（３）の数値範囲を次のようにするのがよい。
【００４４】
０．３＜ｆ３／｜ｍ３｜＜０．８                    ・・・（１ａ）
−１．２＜ｆ４／｜ｍ４｜＜−０．３                ・・・（２ａ）
２．０＜（Ｒ２ａ＋Ｒ１ａ）／（Ｒ２ａ−Ｒ１ａ）＜２０．０  ・・・（３ａ）
【００４５】
以上のように本発明によれば、広画角、高ズーム比でかつ全系が小型で良好な光学性能を持ったズームレンズを実現している。本発明において更に好ましくは次の条件式のうち１つ以上を満足するのが良い。第１レンズ群Ｌ１の焦点距離をｆ１、第１レンズ群Ｌ１の光軸上の厚み（レンズ群厚）をＤ１とする。第１レンズ群Ｌ１は１枚の正レンズＧ１１からなり、正レンズＧ１１の材料の屈折率をｎｄ１１ａ、正レンズＧ１１の材料のアッベ数をνｄ１１ａとする。第２レンズ群Ｌ２の焦点距離をｆ２、広角端における全系の焦点距離をｆｗとする。
【００４６】
第２レンズ群Ｌ２は物体側から像側へ順に配置された、負レンズＧ２１、負レンズＧ２２、負レンズＧ２３、正レンズＧ２４からなり、正レンズＧ２４の材料の屈折率をｎｄ２４ａ、正レンズＧ２４の材料のアッベ数をνｄ２４ａとする。第３レンズ群Ｌ３は複数の正レンズを有し、第３レンズ群Ｌ３に含まれる正レンズの材料のアッベ数の平均値をνｄ３ａとする。第３レンズ群Ｌ３は複数の正レンズを有し、複数の正レンズのうち少なくとも２枚の正レンズの材料のアッベ数をνｄ、２枚の正レンズの材料の部分分散比とθｇＦとする。
【００４７】
広角端から望遠端へのズーミングに際して第２レンズ群Ｌ２は像側へ凸状の軌跡を描いて移動し、広角端から望遠端へのズーミングにおいて第２レンズ群Ｌ２が位置する最も物体側の光軸上の位置から最も像側の光軸上の位置までの距離をｍ２とする。望遠端における全系の焦点距離をｆｔとする。このとき、次の条件式のうち１つ以上を満足するのが良い。
【００４８】
２０．０＜ｆ１／Ｄ１＜２００．０    ・・・（４）
１．５０＜ｎｄ１１ａ＜１．８０      ・・・（５）
４５．０＜νｄ１１ａ＜７５．０      ・・・（６）
−３．６＜ｆ２／ｆｗ＜−２．０      ・・・（７）
１．８５＜ｎｄ２４ａ＜２．００      ・・・（８）
１４．０＜νｄ２４ａ＜２２．０      ・・・（９）
６５．０＜νｄ３ａ                ・・・（１０）
０．０１０＜θｇＦ−（０．６４４−０．００１６８×νｄ）＜０．０７０
・・・（１１）
０．５＜ｍ２／ｆｔ＜１．３        ・・・（１２）
【００４９】
ここで、各実施例で用いている光学材料のアッベ数と部分分散比は次の通りである。フラウンフォーファ線のｇ線（４３５．８ｎｍ）、Ｆ線（４８６．１ｎｍ）、ｄ線（５８７．６ｎｍ）、Ｃ線（６５６．３ｎｍ）に対する材料の屈折率をそれぞれＮｇ、ＮＦ、Ｎｄ、ＮＣとする。このとき材料のアッベ数νｄ及び、ｇ線とＦ線に関する部分分散比θｇＦは、以下の式の通りである。
νｄ＝（Ｎｄ−１）／（ＮＦ−ＮＣ）
θｇＦ＝（Ｎｇ−ＮＦ）／（ＮＦ−ＮＣ）
【００５０】
次に前述の各条件式の技術的意味について説明する。
【００５１】
条件式（４）は第１レンズ群Ｌ１の焦点距離と第１レンズ群Ｌ１の光軸上における厚み（レンズ群厚）の比を規定したものである。条件式（４）を満たすことでレンズ系の小型化を図りつつ、広画角化を図っている。
【００５２】
条件式（４）の下限値を超えて第１レンズ群Ｌ１のレンズ群厚が厚くなりすぎると、広角側のズーム領域において第１レンズ群Ｌ１の最も物体側のレンズ面を通る軸外光束の入射高さが高くなってくる。そうすると、前玉有効径（第１レンズ群Ｌ１の有効径）が大きくなってくる。一方、条件式（４）の上限値を超えて第１レンズ群Ｌ１の焦点距離が長くなりすぎると、広画角化した際に前玉有効径が大きくなってくる。
【００５３】
条件式（５）は第１レンズ群Ｌ１を構成する正レンズの材料の屈折率を規定したものである。条件式（５）を満たすことで全系の小型化を図りつつ、良好な光学性能を得ている。条件式（５）の下限値を超えて正レンズの材料の屈折率が低くなりすぎると、第１レンズ群Ｌ１のレンズ群厚が厚くなってしまい、レンズ全長が長くなってくる。
【００５４】
一方、条件式（５）の上限値を超えて正レンズの材料の屈折率が高くなりすぎると、ペッツバール和が小さくなり、像面湾曲、非点収差が増大し、これらの諸収差の補正が困難となる。
【００５５】
条件式（６）は第１レンズ群Ｌ１を構成する正レンズの材料のアッベ数を規定したものである。条件式（６）を満たすことで広角端において倍率色収差の補正が容易となり、良好な光学性能を有するズームレンズを得ている。
【００５６】
条件式（６）の下限値を超えてアッベ数が小さくなりすぎると、広角端において倍率色収差の発生量が大きくなってしまうため好ましくない。一方、条件式（６）の上限値を超えてアッベ数が大きくなりすぎると、広角端において倍率色収差が補正過剰となってしまうため好ましくない。
【００５７】
条件式（７）は第２レンズ群Ｌ２の焦点距離を規定したものである。条件式（７）を満たすことでレンズ系の小型化を図りつつ良好な光学性能を得ている。条件式（７）の下限値を超えて第２レンズ群Ｌ２の負の焦点距離の絶対値が大きくなりすぎると、変倍によって変動する像面を補正するための他のレンズ群の移動量が大きくなり、レンズ全長が長くなってくる。一方、条件式（７）の上限値を超えて第２レンズ群Ｌ２の負の焦点距離の絶対値が小さくなりすぎると、広角端において像面湾曲が大きく発生してくるので良くない。
【００５８】
条件式（８）は第２レンズ群Ｌ２の最も像側の正レンズＧ２４の材料の屈折率を規定したものである。条件式（８）を満たすことで全系の小型化を図りつつ良好な光学性能を得ている。条件式（８）の下限値を超えて正レンズＧ２４の材料の屈折率が低くなりすぎると、第２レンズ群Ｌ２のレンズ群厚が厚くなってしまい、レンズ全長が長くなってくる。一方、条件式（８）の上限値を超えて正レンズＧ２４の材料の屈折率が高くなりすぎると、ペッツバール和が小さくなり、像面湾曲、非点収差の補正が困難となる。
【００５９】
条件式（９）は第２レンズ群Ｌ２の最も像側の正レンズＧ２４の材料のアッベ数を規定したものである。条件式（９）を満たすことで広角端において倍率色収差の補正を良好に行い、高い光学性能を有するズームレンズを得ている。条件式（９）の下限値を超えて、正レンズＧ２４の材料のアッベ数が小さくなりすぎると、広角端における倍率色収差が補正過剰となる。一方、条件式（９）の上限値を超えて、正レンズＧ２４の材料のアッベ数が大きくなりすぎると、広角端において倍率色収差が補正不足となってくる。
【００６０】
条件式（１０）は第３レンズ群Ｌ３に含まれる正レンズの材料のアッベ数の平均値を規定したものである。条件式（１０）を満たすことで高ズーム比化を図りつつ、良好な光学性能を得ている。条件式（１０）の下限値を超えて正レンズの材料のアッベ数の平均値が小さくなりすぎると、ズーム全域において軸上色収差の発生量が多くなってきて、良好な光学性能を得ることが困難となる。
【００６１】
条件式（１１）は第３レンズ群Ｌ３に含まれる複数の正レンズのうち、少なくとも２枚の正レンズの材料のアッベ数と部分分散比を規定したものである。条件式（１１）を満たすことで高ズーム比化を図りつつ、良好な光学性能を得ている。条件式（１１）の下限値を超えて部分分散比θｇＦが小さくなりすぎると、ズーム全域において軸上色収差の二次スペクトルが補正不足となる。一方、条件式（１１）の部分分散比θｇＦが大きくなりすぎると、ズーム全域において軸上色収差の二次スペクトルが補正過剰となる。
【００６２】
条件式（１２）はズーミングに際して第２レンズ群Ｌ２の最も物体側の光軸上の位置から最も像側の光軸上の位置までの移動に関する距離（移動量）を規定したものである。条件式（１２）を満たすことで高ズーム比化を図りつつ、レンズ系の小型化を図っている。条件式（１２）の下限値を超えて第２レンズ群Ｌ２の移動量が短くなりすぎると、高ズーム比化のために第２レンズ群Ｌ２の負の屈折力を強めなければならない（負の屈折力の絶対値を大きくしなければならない）。そうするとズーミングに際しての像面湾曲や、倍率色収差の変動が大きくなってくる。
【００６３】
一方、条件式（１２）の上限値を越えて第２レンズ群Ｌ２の移動量が長くなりすぎると、レンズ全長が長くなってくる。なお、各実施例において、好ましくは条件式（４）乃至（１２）の数値範囲を次のようにするのがよい。
【００６４】
２５．０＜ｆ１／Ｄ１＜１４０．０    ・・・（４ａ）
１．５５＜ｎｄ１１ａ＜１．７５      ・・・（５ａ）
５０．０＜νｄ１１ａ＜６５．０      ・・・（６ａ）
−３．２＜ｆ２／ｆｗ＜−２．２      ・・・（７ａ）
１．９０＜ｎｄ２４ａ＜２．００      ・・・（８ａ）
１６．０＜νｄ２４ａ＜２０．０      ・・・（９ａ）
６８．０＜νｄ３ａ                ・・・（１０ａ）
０．０１３＜θｇＦ−（０．６４４−０．００１６８×νｄ）＜０．０４０
・・・（１１ａ）
０．６５＜ｍ２／ｆｔ＜１．１５        ・・・（１２ａ）
【００６５】
各実施例では以上のように各要素を構成することにより、全系が小型で、広画角かつ高ズーム比であり、全ズーム範囲にわたり高い光学性能を有するズームレンズを得ている。また以上の条件式は任意に複数組み合わせることにより、さらに本発明の効果を高めることができる。
【００６６】
次に各実施例のレンズ構成について説明する。各実施例の各レンズ群におけるレンズは特に断りがない限り、物体側から像側へ順に配置されているものとする。
【００６７】
［実施例１、２、３］
第１レンズ群Ｌ１は物体側の面が凸でメニスカス形状の正レンズで構成している。このような構成とすることで前玉有効径の小型化を容易にしている。第２レンズ群Ｌ２は物体側の面が凸でメニスカス形状の負レンズＧ２１、物体側の面が凸でメニスカス形状の負レンズＧ２２、両凹形状の負レンズＧ２３と物体側の面が凸でメニスカス形状の正レンズＧ２４を接合した接合レンズで構成している。
【００６８】
または第２レンズ群Ｌ２は、物体側の面が凸でメニスカス形状の負レンズＧ２１、両凹形状の負レンズＧ２２、両凹形状の負レンズＧ２３と両凸形状の正レンズＧ２４を接合した接合レンズで構成している。第２レンズ群Ｌ２の負の屈折力を３枚の負レンズに分担させることで広画角化を図った際の像面湾曲や歪曲の発生を軽減している。
【００６９】
第３レンズ群Ｌ３は、両凸形状で両レンズ面が非球面形状の正レンズＧ３１、物体側の面が凸でメニスカス形状の負レンズＧ３２を有する。更に物体側の面が凸でメニスカス形状の負レンズＧ３３と両凸形状で像側のレンズ面が非球面形状の正レンズＧ３４が接合された接合レンズ、物体側の面が凸でメニスカス形状の正レンズＧ３５で構成している。このような構成とすることで、高ズーム比化を図り、ズーム全域において球面収差やコマ収差を軽減している。
【００７０】
第４レンズ群Ｌ４は、両凹形状で、両レンズ面が非球面形状の負レンズで構成している。両レンズ面を非球面形状とすることで、高ズーム比化しつつズーム中間域においてコマ収差の発生を軽減している。第５レンズ群Ｌ５は、両凸形状の正レンズで構成している。第５レンズ群Ｌ５を正レンズとすることでテレセントリック性を高めて、軸外光束が撮像素子へ垂直に近い角度で入射するようにして、シェーディングによる画面周辺の光量落ちを軽減している。
【００７１】
［実施例４］
第１レンズ群Ｌ１は物体側の面が凸でメニスカス形状で、両レンズ面が非球面形状の正レンズＧ１１で構成している。両レンズ面を非球面形状とすることにより、広角端において歪曲収差の補正を容易としている。第２レンズ群Ｌ２は、物体側の面が凸でメニスカス形状の負レンズＧ２１、物体側の面が凸でメニスカス形状の負レンズＧ２２、両凹形状の負レンズＧ２３と物体側の面が凸でメニスカス形状の正レンズＧ２４が接合された接合レンズで構成している。
【００７２】
第３レンズ群Ｌ３は、両凸形状で両レンズ面が非球面形状の正レンズＧ３１、物体側の面が凸でメニスカス形状の負レンズＧ３２と両凸形状で像側の面が非球面形状の正レンズＧ３３が接合された接合レンズを有する。更に物体側の面が凸でメニスカス形状の正レンズＧ３４で構成している。第４レンズ群Ｌ４は、両凹形状で、両レンズ面が非球面形状の負レンズで構成している。第５レンズ群Ｌ５は、両凸形状の正レンズ１枚で構成している。
【００７３】
［実施例５］
第１レンズ群Ｌ１は物体側の面が凸でメニスカス形状の正レンズＧ１１で構成している。第２レンズ群Ｌ２は、物体側の面が凸でメニスカス形状の負レンズＧ２１、物体側の面が凸でメニスカス形状の負レンズＧ２２、両凹形状の負レンズＧ２３、物体側の面が凸でメニスカス形状の正レンズＧ２４で構成している。
【００７４】
第３レンズ群Ｌ３は、両凸形状で両レンズ面が非球面形状の正レンズＧ３１、物体側の面が凸でメニスカス形状の負レンズＧ３２と両凸形状で像側の面が非球面形状の正レンズＧ３３が接合された接合レンズで構成している。第４レンズ群Ｌ４は、両凹形状の負レンズで構成している。第５レンズ群Ｌ５は、両凸形状の正レンズで構成している。
【００７５】
［実施例６］
第１レンズ群Ｌ１は物体側の面が凸でメニスカス形状の正レンズＧ１１で構成している。第２レンズ群Ｌ２は、物体側の面が凸でメニスカス形状の負レンズＧ２１、物体側の面が凸でメニスカス形状の負レンズＧ２２、像側の面が凸でメニスカス形状の負レンズＧ２３、両凸形状の正レンズＧ２４で構成している。
【００７６】
第３レンズ群Ｌ３は、両凸形状で両レンズ面が非球面形状の正レンズＧ３１、物体側の面が凸でメニスカス形状の負レンズＧ３２と両凸形状で像側の面が非球面形状の正レンズＧ３３が接合された接合レンズで構成している。第４レンズ群Ｌ４は、両凹形状の負レンズで構成している。第５レンズ群Ｌ５は、両凹形状の負レンズで構成している。第６レンズ群Ｌ６は、両凸形状の正レンズで構成している。
【００７７】
次に本発明のズームレンズを撮像光学系として用いた撮像装置（監視カメラ）の実施例を、図１３を用いて説明する。図１３において１０は監視カメラ本体、１１は実施例１乃至６で説明したいずれかのズームレンズによって構成された撮像光学系である。１２はカメラ本体に内蔵され、撮像光学系１１によって形成された被写体像を受光するＣＣＤセンサやＣＭＯＳセンサ等の撮像素子（光電変換素子）である。１３は撮像素子１２によって光電変換された被写体像に対応する情報を記録するメモリである。１４は撮像素子１２によって光電変換された被写体像を転送するためのネットワークケーブルである。
【００７８】
撮像装置としては監視カメラに限定されることはなく、ビデオカメラやデジタルカメラ等においても同様に用いることができる。
【００７９】
本発明の撮像装置は、上記のいずれかのズームレンズとともに、ズームレンズより生ずる歪曲収差と倍率色収差のどちらか、もしくは両方を電気的に補正する回路（補正手段）（収差補正手段）を有していても良い。このようにズームレンズの歪曲収差等を許容することができる構成にすれば、ズームレンズ全体のレンズ枚数を少なくすることができ、全系の小型化が容易になる。また倍率色収差を電気的に補正することにより、撮影した画像の色にじみを軽減し、解像力の向上を図ることが容易になる。
【００８０】
以上、本発明の好ましい実施形態について説明したが、本発明はこれらの実施形態に限定されず、その要旨の範囲内で種々の変形及び変更が可能である。
【００８１】
次に本発明の実施例１乃至６にそれぞれ対応する数値データ１乃至６を示す。各数値データにおいて、ｉは物体側からの光学面の順序を示す。ｒｉは第ｉ番目の光学面（第ｉ面）の曲率半径、ｄｉは第ｉ面と第ｉ＋１面との間の間隔、ｎｄｉ、νｄｉはそれぞれｄ線に対する第ｉ番目の光学部材の材料の屈折率、アッベ数を示す。
【００８２】
ＢＦはバックフォーカスであり、レンズ最終面から近軸像面までの距離を空気換算長により表したものである。レンズ全長は第１レンズ面から最終レンズ面までの長さに、バックフォーカスＢＦの値を加えた長さである。＊は非球面を意味する。またｋを離心率、Ａ４、Ａ６、Ａ８、Ａ１０を非球面係数、レンズ面頂点を基準にして光軸からの高さｈの位置における光軸方向の変位をｘとするとき、非球面形状は、
ｘ＝（ｈ２／Ｒ）／［１＋｛１−（１＋ｋ）（ｈ／Ｒ）２｝１／２］＋Ａ４ｈ４＋Ａ６ｈ６＋Ａ８ｈ８＋Ａ１０ｈ１０
で表される。但しＲは近軸曲率半径である。「ｅ-Ｘ」は「１０-Ｘ」を意味している。
【００８３】
各数値データにおける上述した各条件式との対応を表１に示す。Ｇ３１、Ｇ３３、Ｇ３４、Ｇ３５はそれぞれ第３レンズ群の物体側から１枚目、３枚目、４枚目、５枚目のレンズを表す。
【００８４】
［数値データ１］
単位 mm
面データ
面番号       r        d      nd         νd    θgF
1         52.038    2.26   1.69680    55.5           
2         69.603  (可変)                             
3         47.670    1.30   1.91082    35.3           
4         13.090    7.61                             
5        466.020    0.95   1.83481    42.7           
6         52.881    3.19                             
7        -34.709    0.80   1.59522    67.7           
8         26.743    2.62   1.95906    17.5           
9        124.179  (可変)                             
10(絞り)    ∞       1.00                             
11*        12.280    3.90   1.55332    71.7    0.5398       
12*      -124.025    4.16                             
13         22.367    0.50   1.80610    33.3           
14         11.899    1.17                             
15         16.875    0.50   2.00069    25.5           
16         11.773    4.78   1.49710    81.6    0.5383       
17*       -24.562    0.45                             
18         10.407    2.50   1.59522    67.7    0.5442       
19         27.247  (可変)                             
20*      -437.946    0.50   1.58313    59.4           
21*         7.840  (可変)                             
22         39.802    1.89   1.59522    67.7           
23        -20.199    4.01                             
24          ∞       1.99   1.51633    64.1           
25          ∞       0.50                             
像面        ∞   
【００８５】
非球面データ
第11面
K =-3.21252e-001  A 4=-2.43022e-005  A 6=-4.09554e-008  A 8=-6.57816e-010  A10=-4.37261e-012  
第12面
K = 0.00000e+000  A 4= 3.40354e-005  A 6=-3.53503e-008  A 8=-9.53608e-010  
第17面
K = 1.10167e+000  A 4=-2.56689e-006  A 6= 5.35569e-008  A 8=-7.34329e-010  A10= 7.10741e-012  
第20面
K =-5.20135e+004  A 4=-1.16004e-004  A 6= 3.94426e-006  A 8=-3.02893e-007  A10= 7.32199e-009  
第21面
K = 0.00000e+000  A 4= 7.34718e-005  A 6=-2.89091e-006  
各種データ
ズーム比     7.97 
広角     中間     望遠
焦点距離       3.86    14.53    30.73  
Fナンバー      1.63     2.51     4.00  
半画角（度）  61.2     16.7     8.04  
像高           4.30     4.30     4.30  
レンズ全長   100.02   100.02   100.02  
BF             5.82     5.82     5.82  
d 2            0.60    26.32    16.38  
d 9           48.61    10.48     1.80  
d19            1.78     4.70     7.19  
d21            2.46    11.94    28.07  
ズームレンズ群データ
群  始面    焦点距離  
1    1     281.10  
2    3     -11.41  
3   10      14.57  
4   20     -13.20  
5   22      22.78  
【００８６】
［数値データ２］
単位 mm
面データ
面番号       r        d      nd         νd    θgF
1         42.860    4.36   1.60311    60.6           
2         71.433  (可変)                             
3         44.163    1.30   1.85150    40.8           
4         14.618    8.17                             
5       1031.570    0.95   1.80400    46.6           
6         39.093    3.49                             
7        -50.024    0.80   1.59522    67.7           
8         26.927    2.54   1.95906    17.5           
9         75.158  (可変)                             
10(絞り)    ∞       1.00                             
11*        11.978    5.21   1.55332    71.7    0.5398       
12*       -80.936    2.68                             
13         28.283    0.50   1.80610    33.3           
14         11.645    1.11                             
15         16.198    0.50   2.00069    25.5           
16         12.302    6.37   1.55332    71.7    0.5398       
17*       -30.391    0.54                             
18         10.596    2.52   1.59522    67.7    0.5442       
19         20.604  (可変)                             
20*     -14567.299    0.50   1.58313    59.4           
21*         7.293  (可変)                             
22         31.334    2.25   1.60311    60.6           
23        -17.897    3.54                             
24          ∞       1.99   1.51633    64.1           
25          ∞       0.50                             
像面        ∞   
【００８７】
非球面データ
第11面
K =-2.75567e-001  A 4=-2.87828e-005  A 6=-9.54766e-008  A 8= 3.17602e-010  A10=-1.31061e-011  
第12面
K = 0.00000e+000  A 4= 3.88153e-005  A 6=-4.33970e-008  A 8=-1.10005e-009  
第17面
K = 1.01430e+000  A 4=-8.36334e-006  A 6= 4.75254e-008  A 8= 1.36509e-009  A10=-9.95755e-012  
第20面
K = 1.53352e+007  A 4= 1.72795e-004  A 6=-1.27453e-005  A 8=-1.76767e-007  A10= 1.83430e-008  
第21面
K = 0.00000e+000  A 4= 3.56843e-004  A 6=-1.46894e-005  A 8=-1.46892e-007  A10= 1.50997e-008  
各種データ
ズーム比     9.98 
広角     中間     望遠
焦点距離       4.20    19.70    41.91  
Fナンバー      1.50     2.43     4.00  
半画角（度）  52.7     12.3     5.96  
像高           4.30     4.30     4.30  
レンズ全長   110.10   110.10   110.10  
BF             5.35     5.35     5.35  
d 2            0.60    30.43    19.54  
d 9           54.38    11.09     1.80  
d19            1.83     5.46     8.93  
d21            2.47    12.28    28.99  
ズームレンズ群データ
群  始面    焦点距離  
1    1     168.01  
2    3     -12.13  
3   10      15.15  
4   20     -12.50  
5   22      19.22  
【００８８】
［数値データ３］
単位 mm
面データ
面番号       r        d      nd         νd    θgF
1         54.370    2.25   1.69680    55.5           
2         74.772  (可変)                             
3         38.088    1.30   1.91082    35.3           
4         11.869    7.81                             
5       -463.501    0.95   1.83481    42.7           
6         60.932    3.14                             
7        -26.416    0.80   1.59522    67.7           
8         43.335    2.28   1.95906    17.5           
9       -196.227  (可変)                             
10(絞り)    ∞     (可変)                             
11*        12.473    4.24   1.55332    71.7    0.5398      
12*       -73.982    3.88                             
13         22.017    0.50   1.83400    37.2           
14         11.988    0.90                             
15         16.501    0.50   2.00069    25.5           
16         11.190    4.83   1.49710    81.6    0.5383       
17*       -29.406    0.15                             
18         10.793    2.77   1.53775    74.7    0.5392       
19         51.831  (可変)                             
20*      -320.813    0.50   1.58313    59.4           
21*         7.958  (可変)                             
22         85.369    1.78   1.59522    67.7           
23        -17.226    3.54                             
24          ∞       1.99   1.51633    64.1           
25          ∞       0.50                             
像面        ∞   
【００８９】
非球面データ
第11面
K =-3.08221e-001  A 4=-2.27857e-005  A 6=-5.09300e-008  A 8=-1.02497e-009  A10= 4.89471e-013  
第12面
K = 0.00000e+000  A 4= 4.44122e-005  A 6=-1.52107e-007  A 8=-1.69322e-010  
第17面
K = 2.11872e+000  A 4=-2.09168e-005  A 6= 2.24321e-007  A 8=-2.91286e-009  A10= 2.06505e-011  
第20面
K = 1.06798e+003  A 4=-1.56913e-004  A 6= 2.46927e-006  A 8=-7.24585e-008  A10= 1.31505e-009  
第21面
K = 0.00000e+000  A 4=-1.65143e-005  A 6=-4.50230e-007  
各種データ
ズーム比     7.97 
広角     中間     望遠
焦点距離       3.88    14.36    30.93  
Fナンバー      1.65     2.59     4.00  
半画角（度）  61.1     17.0     8.03  
像高           4.30     4.30     4.30  
レンズ全長   100.03   100.03   100.03  
BF             5.35     5.35     5.35  
d 2            0.60    26.31    17.70  
d 9           38.03     8.01     1.80  
d10           12.00     4.27     1.00  
d19            1.67     4.01     6.41  
d21            3.12    12.84    28.51  
ズームレンズ群データ
群  始面    焦点距離  
1    1     273.58  
2    3     -11.44  
3   11      14.35  
4   20     -13.31  
5   22      24.24  
【００９０】
［数値データ４］
単位 mm
面データ
面番号       r        d      nd         νd    θgF
1*        74.372    4.30   1.58313    59.4           
2*       195.075  (可変)                             
3         31.070    1.30   2.00100    29.1           
4         12.816    6.50                             
5         55.837    0.95   1.83481    42.7           
6         17.607    4.19                             
7        -53.938    0.80   1.59522    67.7           
8         17.381    2.73   1.95906    17.5           
9         46.379  (可変)                             
10(絞り)    ∞       1.00                             
11*        13.534    3.60   1.49710    81.6    0.5383       
12*       -75.582    6.63                             
13         18.370    0.50   2.00069    25.5           
14         10.623    5.11   1.49710    81.6    0.5383       
15*       -34.783    0.15                             
16         10.813    2.54   1.60311    60.6    0.5415       
17         28.486  (可変)                             
18*        47.770    0.50   1.76802    49.2           
19*         7.428  (可変)                             
20         39.411    2.12   1.59522    67.7           
21        -16.844    3.54                             
22          ∞       1.99   1.51633    64.1           
23          ∞       0.50                             
像面        ∞   
【００９１】
非球面データ
第1面
K =-1.69717e+000  A 4= 5.29542e-006  A 6=-8.48213e-009  A 8= 1.08032e-011  A10=-1.94115e-015  
第2面
K = 0.00000e+000  A 4= 5.40434e-006  A 6=-1.45891e-008  A 8= 2.47254e-011  A10=-1.41142e-014  
第11面
K =-3.53765e-001  A 4=-2.67039e-005  A 6=-8.76502e-008  A 8=-8.97303e-010  A10=-9.98922e-012  
第12面
K = 0.00000e+000  A 4= 2.30996e-005  A 6=-1.45948e-008  A 8=-2.45838e-009  
第15面
K =-3.75337e+000  A 4=-5.86132e-006  A 6=-5.87535e-009  A 8= 3.06371e-009  A10=-3.20509e-011  
第18面
K =-3.55459e+001  A 4=-3.74925e-005  A 6=-2.05436e-006  A 8= 7.41421e-010  A10= 9.77184e-010  
第19面
K = 0.00000e+000  A 4= 1.27535e-004  A 6=-1.23364e-006  
各種データ
ズーム比     8.04 
広角     中間     望遠
焦点距離       3.58    12.94    28.78  
Fナンバー      1.65     2.49     4.00  
半画角（度）  54.0     18.1     8.65  
像高           4.30     4.30     4.30  
レンズ全長    97.04    97.04    97.04  
BF             5.35     5.35     5.35  
d 2            0.60    21.56    11.61  
d 9           43.47    10.89     1.89  
d17            1.61     4.37     7.39  
d19            2.43    11.27    27.20  
ズームレンズ群データ
群  始面    焦点距離  
1    1     203.46  
2    3      -9.47  
3   10      13.85  
4   18     -11.51  
5   20      20.11  
【００９２】
［数値データ５］
単位 mm
面データ
面番号       r        d      nd         νd    θgF
1         26.770    2.94   1.69680    55.5           
2         30.156  (可変)                             
3         27.114    1.20   1.85150    40.8           
4         11.673    7.10                             
5         99.479    0.90   1.83481    42.7           
6         13.621    5.06                             
7        -25.778    0.80   1.59522    67.7           
8        184.779    0.50                             
9         30.360    1.84   1.95906    17.5           
10        136.420  (可変)                             
11*        12.606    5.16   1.55332    71.7    0.5398       
12*       -42.128    2.56                             
13(絞り)    ∞       1.00                             
14         14.863    0.50   2.00069    25.5           
15          8.670    3.91   1.49710    81.6    0.5383       
16*       -17.442  (可変)                             
17       -114.952    0.50   1.60311    60.6           
18          7.894  (可変)                             
19         19.095    3.23   1.49700    81.5           
20        -17.800    4.74                             
21          ∞       1.99   1.51633    64.1           
22          ∞       0.50                             
像面        ∞   
【００９３】
非球面データ
第11面
K = 1.88582e-001  A 4=-5.62415e-005  A 6= 1.97132e-007  A 8=-7.99231e-010  A10= 5.49056e-011  
第12面
K = 0.00000e+000  A 4= 1.09531e-004  A 6= 3.87115e-007  A 8= 4.10847e-010  A10= 8.94648e-011  
第16面
K = 1.66483e+000  A 4= 9.63946e-005  A 6=-4.21155e-007  A 8= 2.03346e-008  A10=-2.23220e-010  
各種データ
ズーム比     4.99 
広角     中間     望遠
焦点距離       3.82    11.61    19.07  
Fナンバー      1.65     2.59     3.68  
半画角（度）  60.2     20.9     12.9  
像高           4.30     4.30     4.30  
レンズ全長    89.15    89.15    89.15  
BF             6.55     6.55     6.55  
d 2            0.60    20.18    18.06  
d10           39.13    10.36     3.99  
d16            2.29     6.09     8.87  
d18            2.70     8.10    13.81  
ズームレンズ群データ
群  始面    焦点距離  
1    1     252.20  
2    3      -9.25  
3   11      13.15  
4   17     -12.23  
5   19      19.09  
【００９４】
［数値データ６］
単位 mm
面データ
面番号       r        d      nd         νd    θgF
1         44.790    5.01   1.60311    60.6           
2         88.205  (可変)                             
3         45.509    1.20   1.85150    40.8           
4         10.521    6.56                             
5         65.472    0.90   1.77250    49.6           
6         18.690    4.74                             
7        -18.602    0.80   1.59522    67.7           
8       -137.681    0.15                             
9         42.159    1.92   1.92286    18.9           
10       -242.367  (可変)                             
11*        11.959    4.30   1.55332    71.7    0.5398       
12*       -28.531    2.03                             
13(絞り)    ∞       1.39                             
14         14.433    0.50   2.00069    25.5           
15          7.766    4.46   1.49710    81.6    0.5383       
16*       -16.473  (可変)                             
17        240.359    0.50   1.49700    81.5           
18          6.452  (可変)                             
19        -30.000    0.50   1.49700    81.5           
20         50.000  (可変)                             
21         17.090    2.71   1.59522    67.7           
22        -18.580    3.04                             
23          ∞       1.99   1.51633    64.1           
24          ∞       0.50                             
像面        ∞   
【００９５】
非球面データ
第11面
K = 4.10535e-002  A 4=-6.81622e-005  A 6=-7.56211e-007  A 8= 1.57624e-008  A10=-1.43358e-010  
第12面
K = 0.00000e+000  A 4= 1.19898e-004  A 6=-1.07739e-006  A 8= 2.20808e-008  A10=-1.73640e-010  
第16面
K = 1.58083e+000  A 4= 1.14026e-004  A 6= 5.30962e-007  A 8=-1.70318e-008  A10= 2.45225e-010  
各種データ
ズーム比     6.93 
広角     中間     望遠
焦点距離       3.95    14.75    27.38  
Fナンバー      1.65     2.59     4.00   
半画角（度）  58.2     16.4     8.98  
像高           4.30     4.30     4.30  
レンズ全長    90.05    90.05    90.05  
BF             4.85     4.85     4.85  
d 2            0.60    24.37    22.48  
d10           40.61     8.25     0.84  
d16            1.50     5.26     8.17  
d18            3.14     1.98     4.43  
d20            1.00     6.98    10.92  
ズームレンズ群データ
群  始面    焦点距離  
1    1     144.60  
2    3      -9.66  
3   11      12.38  
4   17     -13.35  
5   19     -37.65  
6   21      15.39  
【００９６】
【表１】
0006647708.tif 000002
【符号の説明】
【００９７】
Ｌ１  第１レンズ群        Ｌ２  第２レンズ群        Ｌ３  第３レンズ群
Ｌ４  第４レンズ群        Ｌ５  第５レンズ群        Ｌ６  第６レンズ群
ＬＲ  後群
【図１】
0006647708.tif 000003
【図２】
0006647708.tif 000004
【図３】
0006647708.tif 000005
【図４】
0006647708.tif 000006
【図５】
0006647708.tif 000007
【図６】
0006647708.tif 000008
【図７】
0006647708.tif 000009
【図８】
0006647708.tif 000010
【図９】
0006647708.tif 000011
【図１０】
0006647708.tif 000012
【図１１】
0006647708.tif 000013
【図１２】
0006647708.tif 000014
【図１３】
0006647708.tif 000015